(57)【特許請求の範囲】
【請求項１】
銀行券（１４）における高密度印字領域の中の予め設定された一領域を光学的に読み取ってデジタルイメージデータを発生させるイメージ形成手段（２０、２２）と、
前記デジタルイメージデータを受信して、当該デジタルイメージデータのフーリエ変換を計算する処理手段（２６）と、
前記フーリエ変換の結果を受信して、これを解析する解析手段（３０）と、
の各手段を有し、
前記解析手段は、前記フーリエ変換のフーリエ変換パターンに現れた空間周波数成分に基づいて、前記銀行券の真贋を検査することを特徴とする銀行券の検査装置。
【請求項２】
（ａ）銀行券（１４）における高密度印字領域の中の予め設定された一領域を光学的に読み取ってデジタルイメージデータを発生させるステップと、
（ｂ）前記デジタルイメージデータを受信して、当該デジタルイメージデータのフーリエ変換を計算するステップと、
（ｃ）前記フーリエ変換の結果を受信して、これを解析するステップと、
の各ステップを有し、
前記ステップ（ｃ）においては、前記フーリエ変換のフーリエ変換パターンに現れた空間周波数成分に基づいて、前記銀行券の真贋を検査することを特徴とする銀行券の検査方法。
【発明の詳細な説明】
【０００１】
【産業上の利用分野】
本発明は銀行券の検査のための装置に関する。本発明はまた銀行券の検査方法に関する。
【０００２】
【従来の技術】
銀行券の真贋を検査するためのいろいろの方法が知られている。ここで言う「銀行券」とは紙幣のみならず例えば旅行者小切手のような他の有価証券を意味することを了解されたい。普通、これらの検査方法は、真実の銀行券の色応答と十分に一致するか否かを決定するため、検査中の銀行券から反射される光の色応答の解析を利用している。
【０００３】
しかし、銀行券に使える色の範囲は限られている。また偽造銀行券の製造にカラー写真コピー機が使用される可能性があり、それらのカラー写真コピー機に使用される顔料は変色する可能性がある。さらにしばらくの間使用された銀行券は種々に汚れたり染みが付いたりして、銀行券の色の性質が変化する。それゆえ、色応答を使用する上記の検査方法は信頼度が著しく限定されている、という欠点をもっている。
【０００４】
【発明が解決しようとする課題】
本発明の課題は、上記の欠点をもたない銀行券検査方法および検査装置を与えることである。
【０００５】
本発明はその一態様として、銀行券（１４）における高密度印字領域の中の予め設定された一領域を光学的に読み取ってデジタルイメージデータを発生させるイメージ形成手段（２０、２２）と、前記デジタルイメージデータを受信して、当該デジタルイメージデータのフーリエ変換を計算する処理手段（２６）と、前記フーリエ変換の結果を受信して、これを解析する解析手段（３０）と、の各手段を有し、前記解析手段は、前記フーリエ変換のフーリエ変換パターンに現れた空間周波数成分に基づいて、前記銀行券の真贋を検査することを特徴とする銀行券の検査装置を提供するものである。
【０００６】
本発明は他の態様として、（ａ）銀行券（１４）における高密度印字領域の中の予め設定された一領域を光学的に読み取ってデジタルイメージデータを発生させるステップと、（ｂ）前記デジタルイメージデータを受信して、当該デジタルイメージデータのフーリエ変換を計算するステップと、（ｃ）前記フーリエ変換の結果を受信して、これを解析するステップと、の各ステップを有し、前記ステップ（ｃ）においては、前記フーリエ変換のフーリエ変換パターンに現れた空間周波数成分に基づいて、前記銀行券の真贋を検査することを特徴とする銀行券の検査方法を提供するものである。
【０００７】
本発明に基づくこの銀行券検査装置および検査方法は特定のフーリエ変換を使用するため、色応答解析を使用することを回避するできる利点を有することを了解されたい。後でさらに詳細に説明するように、本発明に基づく装置および方法は、カラー写真コピー機あるいはオフセット印刷のようなよく使用される再生技術で製造された偽造銀行券の見極めに特に高価がある。
【０００８】
【実施例】
以下の詳細な説明および添付の図面から、上記の本発明の特徴と利点を明らかにする。
【０００９】
図１はブロック線図で簡単に、銀行券を含む有価証券の真贋を検査するための本発明に基づく装置１０を示す。装置１０は検査する銀行券１４を矢印１６の方向に送る駆動装置１２を含む。白色光源１８から送られる光が銀行券１４に指向され、銀行券１４はＣＣＤカメラ（電荷結合デバイスカメラ）２０を通過する。このカメラはこれに接続されたカメラ制御ユニット２２で制御されるる。実施例ではＣＣＤカメラがこの使用されているが、他の種類の電子カメラを使用することもできる。制御ユニット２２はＣＣＤカメラ２０に、銀行券１４上で選択した小さな領域、特に約１０ないし２０ミリメートル四方の領域、のイメージを作らせる。この選択領域はその上の印刷品質が高いレベルの領域であることが好ましい。その理由は低レベルの印刷品質の領域は真性銀行券を偽造銀行券から識別するのに適当でないからである。カメラ２０はその領域をイメージ化したデジタル表示を与える。すなわち、ＣＣＤカメラ２０により検出された各ピクセルは、その明度を表す２進数にされ、その形で格納される。
【００１０】
イメージメモリ２４がフーリエ変換プロセッサ２６に接続される。フーリエ変換プロセッサ２６は、イメージメモリ２４内に格納されているデジタルイメージの２次元フーリエ変換を形成する。フーリエ変換プロセッサ２６は高速フーリエ変換（ＦＦＴ）プロセッサのような専用のハードウェアデジタルロジックデバイスでよく、あるいは適当にプログラム化したマイクロプロセッサでよい。このように計算されたフーリエ変換は、メモリデバイス２８内に格納される。メモリデバイス２８には解析器３０が接続されている。この解析器３０は、メモリデバイス２８内に格納されているフーリエ変換を解析し、格納されているフーリエ変換が検査中の銀行券の真贋を同定する特徴を有するか否かを決定する。この解析結果を表す信号は出力線３２に出力される。
【００１１】
図２は、図１に示す装置１０で行なわれるステップを示す流れ図５０である。始め、ブロック５２に示すように、銀行券１４（図１）のある領域のデジタルイメージがＣＣＤカメラ２０で捕捉される。得られたデジタルイメージはブロック５４に示すように、イメージメモリ内に格納される。次に、フーリエ変換プロセッサ２６により、格納されたデジタルイメージの２次元フーリエ変換が計算され（ブロック５６）、メモリデバイス２８内に格納される（ブロック５８）。最後に、解析器３０でフーリエ変換の解析が行なわれる（ブロック６０）。これについては以下に詳述する。
【００１２】
解析器３０のオペレーションに関して初めに知っておくべきことは、偽造銀行券の製造に使用しうる方法が多数あることである。例を挙げると、一つの方法はカラー写真コピー機を使用することである。カラー写真コピー機で製造されたコピーは、コピー中に密の間隔の規則的な直線のパターンを有することが知られている。これらの線の間隔は肉眼では見えない程度に小さい。偽造銀行券を製造するのに使用することができる別の方法は、オフセット印刷である。これに関して知っておくべきことは、真性の銀行券は一般にオフセット印刷ではなく、写真製版のような印刷工程を経て印刷されることである。オフセット印刷した偽造銀行券は、その中に密な間隔の規則的な点のパターンを含むことが知られている。これらの点も一般に肉眼では見えない。真性銀行券の印刷に使用される写真製版のような印刷工程で作成した銀行券は、どこにもそのような密の間隔の規則的パターンをもっていない。製版印刷された真性の銀行券に存在する局所的なパターンは、本明細書に述べるフーリエ変換で検出される特徴をもつものよりも大きな間隔をもっている。イメージメモリ２４内に格納されているデジタルイメージの解像度は、上記の密な線あるいは点を解像分解するだけの十分な高さをもつべきである。捕捉したデジタルイメージのピクセル間隔は上記規則的な点／線の間隔の２分の１以下であることが望ましい。それに必要な解像度は、普通、約１００ミクロン程度である。
【００１３】
イメージメモリ２４内に格納されているデジタルイメージのフーリエ変換を計算することによって、銀行券上の規則的なパターン、特に上述したような普通に使われている再生方法で製造された偽造銀行券に存在する特徴、の空間周波数を明らかにすることができる。検査している銀行券１４に密間隔の線あるいは点の規則的なパターンがあると、フーリエ変換パターンは比較的に高い空間周波数の成分を含む。規則的パターンをなす要素（点とか線など）の間隔が密になるほど、そのフーリエ変換の空間的周波数が高くなり、フーリエ変換パターンの中央（空間的周波数がゼロに相当する）からずれたフーリエ変換の特性ピークが現われる。フーリエ変換パターンは線あるいは点のパターンの性質に応じて、ときには検査中の銀行券に規則的な一本以上の放射線状に並んだ点を含むことがある。
【００１４】
解析器３０は、メモリ２８内に格納されたフーリエ変換パターンに高い空間周波数成分があるか否かを決定することができ、特に原点（中央の位置）から外向きに延びる放射状の線または放射線状の点が存在するか否かを決定するのに効果がある。公知のパターン認識方法によってこれを行なうことが好ましい。例えば原点からある距離の位置に大きな信号（すなわち点）があることはフーリエ変換パターンから検査することができる。
【００１５】
もう一つの代わりの構成として、図３の装置では、解析器１３０（解析器３０に相当する）が格納デバイス８０を含む。格納デバイス８０は、検査中の銀行券と真性銀行券について、カメラ２０で形成した同一選択領域のイメージのフーリエ変換を含む。比較器８２がメモリ２８から得られるフーリエ変換と格納デバイス８０から得られる真性銀行券のフーリエ変換とを比較し、検査中の銀行券１４が偽造銀行券であることを示す差異が予定量存在すると、線１３２（図１の線３２に相当する）上に出力を与える。
【００１６】
図４は図１に示す本発明をさらに設計変更した実施例の一部を示す。この変更例では、平均化デバイス２１０がメモリデバイス２８と解析器３０との間に設けられる。カメラ制御ユニット２２はカメラ２０に、検査中の銀行券１４上の複数の小領域を順次にイメージ化させる。これらの領域のフーリエ変換が順次に発生され、メモリデバイス２８内に格納されるとともに平均化デバイス２１０（図４）に送られる。平均化デバイス２１０は順次得られるフーリエ変換の平均値を計算する。もしも銀行券１４が上述したような線あるいは点などの規則的パターンをもっていると、そのようなパターンは平均化のプロセスで累積する効果があり、他方、銀行券全体にわたり周波数変化する銀行券本来の印刷パターンは平均化により低レベルになることを了解されたい。これによって解析器３０は、大きな振幅をもつ空間周波数成分があることを一層容易に決定できる。なぜならば平均化プロセスの結果としてそのような成分が相対的に強くなるからである。このため、解析器３０による解析が容易であるという利点が強まること、その結果、パターン認識技術等による決定が一層正確になることを理解されたい。これに関して、検出される大振幅の特徴部は上述した銀行券偽造で生じる点／線パターンの特性を表していること、またこれらの特徴をもつフーリエ変換は銀行券のどこで検査しても実質上一定であることことを了解されたい。真性銀行券では印刷の特徴は検査領域に応じて変化し、一般に振幅が低く、かつ低い空間周波数で起きる。
【００１７】
偽造銀行券を検出する効果的かつ効率的な装置について、特に偽造銀行券の性質が線あるいは点などの規則的パターンが偽造銀行券内に存在するような場合について、述べた。ここに述べた装置は、カラー写真コピー機あるいはオフセット印刷のような広く使われている工程で製造された偽造銀行券を検出する。しかし、銀行券を偽造する方法は他にもあり、したがって銀行券の承認を行なうための実際的な装置では、ここに述べたものとは異なる原理で動作する検査装置をも使うことが望ましい。
【００１８】
ここに述べた装置は、ユーザーが挿入する銀行券の認識および妥当性検査を行なう装置に含めることができる。そのような装置では、最初に銀行券の認識、すなわち銀行券の種類と額面の同定、が行なわれる。同定された銀行券の種類に基づいて、例えばカメラ制御ユニット２２（図１）を使って銀行券の適当な領域を選択し、その領域をここに述べたフーリエ変換によって解析することができる。もう一つの設計変更例として、銀行券の正方形領域をイメージ化する代わりに、線形領域、例えば検査中の銀行券の長さにわたって延びる１ピクセル幅の線、をイメージ化し、格納し、２次元フーリエ変換の代わりに１次元フーリエ変換を格納データに適用することができる。これは、装置の信頼性を低下させずに必要な計算量を著しく低減させ、経費および／または時間の節約をもたらす、という利点がある。
【００１９】
【発明の効果】
本発明は上記特許請求の範囲に記載したとおり、銀行券の真贋検査にフーリエ変換を使用するため、従来のような色応答解析を使用すること必要がない。
【００２０】
このため、本発明に基づく装置および方法は、銀行券が使用により、汚れたり、変色していても影響を受けない。
【００２１】
また、色応答に依存しないので、カラー写真コピー機あるいはオフセット印刷のようなよく使用される再生技術で製造された偽造銀行券の見極めに特に高価がある。
【図面の簡単な説明】
【図１】  偽造銀行券の検出のため、本発明に基づく装置の簡単なブロック線図である。
【図２】  図１に示す装置の作用を例示する流れ図である。
【図３】  図１に示す装置の一部の設計変更した、のブロック線図である。
【図４】  図１に示す装置の一部を設計変更したものの別の例のブロック線図である。
【符号の説明】
１０    銀行券検査装置
１４    銀行券
３２、  １３２  出力線
５０    図１に示す装置で行なわれるステップの流れ図
１３０  解析器
【図１】
0003801234.tif 000002
【図２】
0003801234.tif 000003
【図３】
0003801234.tif 000004
【図４】
0003801234.tif 000005